(57)【要約】  香料詰め替え品（２）を収容するブリスターパックは、当該ブリスターパックに関連する少なくとも１つのブリスターを有する変形可能シェルと、少なくとも１つのブリスター内に収容された香料詰め替え品と、ブリスターの開口部を覆う裂開可能な材料とを含み、この裂開可能な材料は、ブリスターから香料詰め替え品を分配する際に、裂開するよう構成される。
2015525093.tif 000002
【特許請求の範囲】
【請求項１】
香料詰め替え品を収容するブリスターパックであって、当該香料詰め替え品が、
当該ブリスターパックに関連する少なくとも１つのブリスターを有する変形可能なシェルと、
当該少なくとも１つのブリスター内に収容された当該香料詰め替え品と、
当該ブリスターの開口部を覆う開裂可能な材料とを含み、当該開裂可能な材料は、当該ブリスターからの当該香料詰め替え品を分配するときに開裂するように構成されている、ブリスターパック。
【請求項２】
前記ブリスターの前記開裂可能な材料の反対側に配置された支持層を更に含み、当該支持層は、当該支持層の除去の前に、前記開裂可能な材料の開裂を防止するように構成される、請求項１に記載のブリスターパック。
【請求項３】
複数のブリスターを更に含み、それぞれがその中に収容された前記香料詰め替え品を有する、請求項１に記載のブリスターパック。
【請求項４】
前記複数のブリスターのそれぞれの開口部を覆って結合された、開裂可能な材料の実質的に連続したシートを更に含む、請求項３に記載のブリスターパック。
【請求項５】
前記複数のブリスターの中の第１のブリスターが、第１香料を有する第１香料詰め替え品を収容し、かつ前記複数のブリスターの中の第２のブリスターが、第２香料を有する第２香料詰め替え品を収容する、請求項３に記載のブリスターパック。
【請求項６】
前記ブリスターの中の１つが、隣接するブリスターから分離されるように構成される一方で、当該１つのブリスターの前記開口部を覆った前記開裂可能な材料が未開裂状態で維持されている、請求項３に記載のブリスターパック。
【請求項７】
前記香料詰め替え品が空洞を含み、当該空洞が香料を収容している、請求項３に記載のブリスターパック。
【請求項８】
前記空洞が更に香料担体を収容している、請求項７に記載のブリスターパック。
【請求項９】
（ａ）ハウジングを有する香料放散装置であって、当該ハウジングが、加熱要素、電源インタフェース、及び香料詰め替え品受容部を収容し、当該電源インタフェースが、当該加熱要素に通電するよう構成され、当該詰め替え品が、当該装置の当該香料詰め替え品受容部内に機能的かつ着脱可能に受容されているときに、当該加熱要素が当該香料詰め替え品と熱的に連通するように構成される、香料放散装置と、
（ｂ）当該香料詰め替え品が、当該香料放散装置に機能的かつ着脱可能に受容可能であるように構成され、当該香料詰め替え品が空洞を含み、当該空洞容積が、約０．１ｃｍ3〜約３ｃｍ3の容積を有し、かつ当該空洞が香料を収容している、香料詰め替え品と、
を備える、個人用エアフレッシュシステム。
【請求項１０】
前記トレイが熱成形トレイであり、かつ前記電源インタフェースがＵＳＢインタフェースであり、かつ前記香料詰め替え品は把持タブを有し、当該把持タブは、前記詰め替え品が前記装置に機能的に受容されているときに、前記装置の前記ハウジングによって被覆されていない、請求項９に記載のシステム。
【請求項１１】
個人用エアフレッシュ装置に機能的かつ着脱可能に受容されるよう構成された香料詰め替え品であって、当該詰め替え品が、空洞を有するトレイを含み、当該空洞が約０．１ｃｍ3〜約３ｃｍ3の容積を有し、当該該空洞が香料を収容し、当該香料が、コバッツ指数約６００〜約１８００を有する少なくとも１つの香料成分を、当該香料の重量に対し約５０重量％〜約１００重量％含む、香料詰め替え品。
【請求項１２】
前記香料が、コバッツ指数約６００〜約１８００を有する少なくとも３種の香料成分を含む、請求項１１に記載の詰め替え品。
【請求項１３】
前記香料が、コバッツ指数約６００〜約１８００を有する少なくとも５種の香料成分を含む、請求項１２に記載の詰め替え品。
【請求項１４】
個人用エアフレッシュ装置に操作可能かつ着脱可能に接続されるよう構成された香料詰め替え品であって、当該詰め替え品が、空洞を有する香料トレイを含み、当該空洞が、約０．１ｃｍ3〜約３ｃｍ3の容積を有し、当該空洞が香料を収容し、当該香料が香料成分を含み、かつ当該香料成分が、
（ｉ）約２０℃〜約２５０℃の沸点及び約−２〜約３のＣｌｏｇＰ値を有する、第１群成分と、
（ｉｉ）約２０℃〜約２５０℃の沸点及び約３〜約９のＣｌｏｇＰ値を有する、第２群成分と、
（ｉｉｉ）約２５０℃〜約４００℃の沸点及び約−２〜約３のＣｌｏｇＰ値を有する、第３群成分と、約２５０℃〜約４００℃の沸点及び約３〜約９のＣｌｏｇＰ値を有する、第４群成分と、
（ｉｖ）これらの組み合わせと、
から選択される、香料詰め替え品。
【請求項１５】
前記空洞が、少なくとも１種のエーテル置換モノマーと少なくとも１種の非エーテル置換モノマーとから構成されるコポリマーを更に収容している、請求項１３に記載の香料詰め替え品。
【請求項１６】
前記コポリマーが、ポリエーテルアミドブロックコポリマー、ポリエーテルエステルアミドブロックコポリマー、ポリエーテルポリエステルブロックコポリマー、ポリエーテルブロックを含むポリウレタンコポリマー、又はこれらの混合物からなる群から選択される、請求項１５に記載の香料詰め替え品。
【請求項１７】
前記コポリマーが、ポリエーテルアミドブロックコポリマーを含む、請求項１６に記載の香料詰め替え品。
【請求項１８】
前記空洞が、少なくとも１種のエーテル置換モノマーと少なくとも１種の非エーテル置換モノマーとから構成されるコポリマーを更に含む、請求項１７に記載の香料詰め替え品。
【請求項１９】
前記コポリマーが、ポリエーテルアミドブロックコポリマー、ポリエーテルエステルアミドブロックコポリマー、ポリエーテルポリエステルブロックコポリマー、ポリエーテルブロックを含むポリウレタンコポリマー、又はこれらの混合物からなる群から選択される、請求項１８に記載の香料詰め替え品。
【請求項２０】
前記コポリマーが、ポリエーテルアミドブロックコポリマーを含む、請求項１９に記載の香料詰め替え品。
【発明の詳細な説明】
【技術分野】
【０００１】
本発明は全般に、個人用エアフレッシュナーディスペンサー及びその詰め替え品に関する。
【背景技術】
【０００２】
個人用エアフレッシュナーディスペンサーがこれまでに開示されている。しかしながらこれらの装置には、満たされていないニーズがいくつかあり、これには、香料詰め替え品の持続時間を最大化すること（デバイスが比較的小型であることを考慮）、ユーザーが気づく匂いを有すると同時に、近くにいる人に不快感を与えないような適正なバランスを提供すること、単一の匂いの場合に典型的に伴う「匂い慣れ」の影響を最小限に抑えること、及び、詰め替え品を入れる便利な方法が挙げられ得る。
【発明の概要】
【課題を解決するための手段】
【０００３】
本発明はこれらの及び他の要求に対処するものである。本発明の第１の態様において、少なくとも１つの香料詰め替え品を含むブリスターパックが提供される。このパックは、それに伴う少なくとも１つのブリスターを含む変形可能シェルを有する。この香料詰め替え品はブリスター内に収容される。裂開可能材料が、ブリスターの開口部を覆う。この裂開可能材料は、ブリスターの香料詰め替え品ユニットの吐出により裂開するよう構成される。
【０００４】
本発明の第２の態様において、香料詰め替え品を備えた個人用エアフレッシュ装置の詰め替え方法が提供される。この工程には、個人用エアフレッシュ装置から香料詰め替え品を取り出すことが含まれる。別の工程には、取り出した香料詰め替え品を個人用エアフレッシュ装置に挿入することが含まれ、ここにおいてこの装置は、香料詰め替え品を受容するよう構成されている。
【０００５】
本発明の第３の態様は、内部チャンバを含む二次的パッケージを含む物品であり、ここにおいてこの内部チャンバはブリスターパックを含み、ここにおいてこのブリスターパックは、ブリスターパック内の少なくとも１つのブリスター内に収容されている香料詰め替え品を含む。
【０００６】
本発明の第４の態様において、個人用エアフレッシュシステムが提供される。このシステムは、香料詰め替え品を受容するよう構成された空洞を収容する香料放散装置を含む。この装置の電気回路は、ヒーター、及びヒーターに通電することができる電源インタフェースを含む。この装置の香料詰め替え品受容部は、香料詰め替え品を受容するよう構成される。受容部の少なくとも一部分が、ハウジングの空洞に配置される。ディスペンサーは、香料詰め替え品から香料を吐出するよう構成される。香料詰め替え品は、装置に機能的に取り付け可能である。香料詰め替え品はトレイを含み、ここにおいてこのトレイは、容積約０．１ｃｍ3〜約３ｃｍ3の空洞を含む。香料詰め替え品の空洞は、香料（及び所望により香料担体）を含む。
【０００７】
本発明の第５の態様は、個人用エアフレッシュ装置に操作可能かつ取り外し可能に接続されるよう構成された香料詰め替え品を提供する。この詰め替え品は、空洞を有する香料トレイを含み、ここにおいてこの空洞は、約０．１ｃｍ3〜約３ｃｍ3の容積を含む。空洞は、香料を含む。香料は、少なくとも１つの香料成分、あるいは２つ、３つ、４つ、５つ、又はそれ以上の香料成分を、香料重量の約５０重量％〜約１００重量％含み、これらの成分は約６００〜約１８００のコバッツ指数を有する。
【０００８】
本発明の第６の態様は、個人用エアフレッシュ装置に操作可能かつ取り外し可能に接続されるよう構成された香料詰め替え品を提供する。この詰め替え品は、空洞を有する香料トレイを含み、ここにおいてこの空洞は、約０．１ｃｍ3〜約３ｃｍ3の容積を含む。空洞は、香料を含む。この香料は香料成分を含み、ここにおいてこの香料成分は：（ｉ）約２０℃〜約２５０℃の沸点及び約−２〜約３のＣｌｏｇＰ値を有する第１群成分、（ｉｉ）約２０℃〜約２５０℃の沸点及び約３〜約９のＣｌｏｇＰ値を有する第２群成分、（ｉｉｉ）約２５０℃〜約４００℃の沸点及び約−２〜約３のＣｌｏｇＰ値を有する第３群成分、約２５０℃〜約４００℃の沸点及び約３〜約９のＣｌｏｇＰ値を有する第４群成分、又は（ｉｖ）これらの組み合わせから選択される。
【０００９】
本発明の第７の態様は、約４０時間（すなわち１週間の勤務時間）持続するよう構成された香料詰め替え品を提供する。
【図面の簡単な説明】
【００１０】
【図１】香料詰め替え品である。
【図２】図１の香料詰め替え品を機能的に受容するのに好適なディスペンサーである。
【図３】保護カバーを除去してＵＳＢポートを露出させた、図２のディスペンサーである。
【発明を実施するための形態】
【００１１】
本発明の様々な実施形態に対して、ここに詳細が参照され、この実施例が添付図面に示され、ここにおいて同様の数字は図全体にわたって同じ構成要素を示す。本明細書におけるすべてのパーセンテージ、比及び割合は、別途記載のない限り、重量比である。
【００１２】
特に指摘される場合を除き、分量、百分率、部分、及び割合を含むすべての量は、「約」という言葉により修正されると理解され、量は有効数字を示すことを意図しない。
【００１３】
特に記載のない限り、冠詞「ａ」、「ａｎ」、及び「ｔｈｅ」は、「１つ以上」を意図する。
【００１４】
本明細書で使用する時、「含む」とは、最終結果に影響を及ぼさない他の工程及び他の成分を加えることができることを意味する。この用語は、用語「〜から成る」及び用語「本質的に〜から成る」を包含する。本発明の組成物及び本発明の方法／プロセスは、本明細書に記載した発明の必須要素及び制限事項、並びに本明細書に記載した追加若しくは任意の成分、構成成分、工程、又は制限事項のいずれをも含むことができ、これらからなることができ、及びこれらから本質的になることができる。
【００１５】
本明細書の全体を通じて与えられるすべての最大の数値限定は、それよりも小さい数値限定を、そうしたより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が本明細書に明示的に記載されているかのように、このようなより広い数値範囲内の全てのより狭い数値範囲を含む。
【００１６】
本発明の一態様は、ユーザーによって感知されるが、ユーザーの周囲の人に感知されるほどではない（例えばオフィス環境など）ように、ユーザー周囲の直近空間に十分な匂いを提供するものである。理論に束縛されるものではないが、匂いの好みは非常に個人差があり、すなわち、ある人にとって望ましい匂いは、他の人にとっては望ましくないものである可能性がある。匂いのパーソナルゾーンを有することで、ユーザーの周囲にいる人に、望ましくない又は歓迎されない匂いで不快感を与えることなく、ユーザーの望む匂い体験を提供することができる。匂いのパーソナルゾーンの非限定的な例は、約１０ｍ3〜約０．１ｍ3、あるいは９ｍ3未満、又は８ｍ3未満、又は７ｍ3未満、又は６ｍ3未満、又は５ｍ3未満、又は３ｍ3未満、又は２ｍ3未満、又は１ｍ3未満、あるいは約１ｍ3〜約０．５ｍ3、あるいはこれらの組み合わせであり得る。
【００１７】
本発明の別の一態様は、嗅覚飽和の緩和をもたらすような単一匂い体験を提供するものである。本発明の装置は、ユーザーに感知される十分な強度及び持続時間の匂いを発するが、嗅覚飽和（すなわち、匂い慣れ）をその個人にもたらすほどではない。
【００１８】
本発明の更に別の一態様は、便利な詰め替えパックを個人に提供するものであり、これによって、個人が様々な匂いを便利に選ぶことができ、しかも、個々の詰め替え品の時期尚早の蒸発、又は他の詰め替え品の匂いとの混合を防ぐことができる（これにより、特定の詰め替え品の匂い体験の忠実度を損うことがない）。
【００１９】
香料
本発明の一態様は、香料又は香料組成物（本明細書において互換可能に使用される）を提供する。香料は典型的に、数多くの香料成分を含む。本明細書で使用するとき、「香料」という用語は、任意の発香性物質を意味する。一般に、そのような材料は、室温で大気圧より低い蒸気圧によって特性付けられる。本明細書で使用される香料は、ほとんどの場合、室温で液体であるが、また当該技術分野で既知の様々な樟脳系香料などの固体であってもよい。アルデヒド、ケトン、エステル、アルコール、及びテルペンなどの物質を包含する多種多様な化学物質が、香料用途で知られている。様々な化学構成成分の複雑な混合物を含む天然起源の植物油及び動物油並びに滲出物が、香料としての使用で知られており、このような物質を本明細書で使用することができる。本明細書の香料は、それらの組成が比較的単純なものであることもでき、又はすべていずれかの所望の匂いをもたらすように選択される、天然及び合成の化学構成成分の高度に洗練された複雑な混合物を含むこともできる。本発明で使用できる典型的な香料は、例えば、ビャクダン油、シベット及びパチョリ油などのような外国産の材料を含有する木質／土壌性のベースを含む。他の好適な香料は、例えば淡い、花のエアフレッシュナー、例えば、バラ抽出物、スミレ抽出物などである。香料は、望ましい果実の香り、例えば、ライム、レモン、オレンジなどの香りをもたらすように配合することができる。要するに、心地よい香り又は他の望ましい匂いを発する、化学的に適合するいかなる材料も、本発明において香料として使用することができる。
【００２０】
一実施形態において、香料は悪臭除去又は悪臭緩和成分を含む。この例には、反応性アルデヒド（例えばＵＳ  ２００５／０１２４５１２号）、匂い遮断材料、匂いマスキング材料、又は感覚改変材料（例えばＵＳ  ２００５／０１２４５１２号に開示されているイオノン）、及びこれらの組み合わせが挙げられる。
【００２１】
一実施形態において、香料は、短期的な匂い体験を提供し得る。本発明の範囲内で、匂いの強度を制御する数多くの方法が構想される。場合によっては、これは、香料組成物、又は香料担体（下記に詳述される）、又はこれらの組み合わせの結果であり得る。例えば、香料は、より急速な放出特性を有するように配合され得る。香料は典型的に、１つ以上の香料成分を含む。これらの成分は多くの場合、異なる揮発性、沸点、及び芳香検出しきい値を有する。香料組成物が空気中に揮発するとき、より高い揮発性を有する成分（「トップノート」と呼ばれる）は、揮発して、人の嗅覚によって、より低い揮発性を有する成分（「ミドルノート」と呼ばれる）及び最も低い揮発性を有する成分（「ボトムノート」と呼ばれる）よりも素早く検出される成分である。これにより、香料が最初に放出された後で香料の特性が時間とともに変化し、全体的な香料特性は、より少ないトップノート及びより多くのボトムノートを含むようになる。
【００２２】
香料組成物は、本発明などの個人用エアフレッシュ装置に好適に使用される成分を含み得る。香料成分は、制限されないが、コバッツ指数（ＫＩ）（非極性シリコーン安定層として５％フェニルメチルポリシロキサンで決定される）に基づいて選択することができる。ＫＩは、検体（例えば、揮発性組成物の成分）の揮発特質を、クロマトグラフィーカラム上において、そのカラム上におけるｎ−アルカン（ノルマルアルカン）シリーズの揮発特性との関連において、位置づける。典型的なガスクロマトグラフ（「ＧＣ」）カラムは、Ａｇｉｌｅｎｔ  Ｔｅｃｈｎｏｌｏｇｉｅｓ  ｏｆ  Ｐａｌｏ  Ａｌｔｏ，Ｃａｌｉｆｏｒｎｉａから入手できるＤＢ−５カラムである。この定義により、ノルマルアルカンのＫＩは１００ｎとされ、ここでｎはｎ−アルカンの炭素数である。補正保持時間ｔ'n及びｔtNをそれぞれ有する炭素数が「ｎ」及び「Ｎ」である２つのｎ−アルカンの間において、時間ｔ'において溶出する検体ｘのＫＩは、次式で計算される。
【００２３】
【数１】
2015525093.tif 000003
【００２４】
非極性から弱い極性のＧＣの固定相では、分析物のＫＩはそれらの相対的な揮発性と関係づけられる。例えば、より小さいＫＩの分析物は、より大きいＫＩの検体より、より揮発性である傾向がある。分析物を対応するＫＩ値によって順位づけることにより、気液分配系での検体蒸発速度を良好に比較することができる。本発明による揮発性組成物は、約６００〜約１８００、又は約８００〜約１７００、又は約９００〜約１６００のＫＩ値を有する少なくとも１つの成分を有し得る。この揮発性組成物は、これらのＫＩ値を有する１つ以上の成分を、約５０％〜約１００％、又は約７０％〜約１００％、又は約８０％〜約１００％含み得る。
【００２５】
コバッツ指数ではなく、又はこれに加えて、香料成分は、その沸点（「Ｂ．Ｐ．」）及びそのオクタノール／水分配係数（「Ｐ」）に基づいて選択され得る。本明細書において言及される沸点は、０．１０ＭＰａ（７６０ｍｍ  Ｈｇ）である通常の標準気圧のもとで測定される。多くの香料成分の標準の０．１０ＭＰａ（７６０ｍｍ  Ｈｇ）における沸点は、例えば、Ｓｔｅｆｆｅｎ  Ａｒｃｔａｎｄｅｒにより書かれ１９６９年に出版された「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」に見出すことができる。一実施形態において、香料は、少なくとも１つの香料成分、あるいは２つ、３つ、４つ、５つ、又はそれ以上の香料成分を約５０重量％〜約１００重量％含み、これらの成分は約６００〜約１８００のコバッツ指数を有する。
【００２６】
香料成分のオクタノール／水分配係数は、オクタノール中の平衡濃度と水中における平衡濃度との比である。揮発性組成物で用いられる香料成分の分配係数は、底１０の対数ｌｏｇＰの形態でより簡便に示され得る。本発明の目的のため、計算されたｌｏｇＰ（「ＣｌｏｇＰ」）は、現在Ｄａｙｌｉｇｈｔ  Ｃｈｅｍｉｃａｌ  Ｉｎｆｏｒｍａｔｉｏｎ  Ｓｙｓｔｅｍｓ（「Ｄａｙｌｉｇｈｔ」）からライセンスが入手できるＤａｙｌｉｇｈｔソフトウェアのバージョン４．９４以降に含まれているＢｉｏｂｙｔｅ  ＣＬＯＧ  Ｐプログラム、又は、Ｄａｙｌｉｇｈｔを含む任意の者からライセンスが入手できるＢｉｏｂｙｔｅ  ＣＬＯＧ  Ｐプログラムの任意のそれ以降のバージョンを使用して決定される。ＣｌｏｇＰ値を決定する目的のため、この測定には、例えば、溶媒、希釈剤、酸化防止剤、保存料、及び界面活性剤などの、好ましい匂いを提供しない香料中成分は含まないものとする。これらの材料の非限定的な例は、エチルアルコール、カルビトール、ジエチレングリコール、ジプロピレングリコール、ジエチルフタレート、トリエチルシトレート、イソプロピルミリステート、及びベンジルベンゾエートである。
【００２７】
香料組成物は、１つ又は複数の群の成分から選択された香料成分を含み得る。第１群成分は、約２０℃〜約２５０℃の沸点、又は約２５℃〜約２４０℃の沸点、又は約３０℃〜約２３５℃の沸点を有する香料成分を含み得る。第１群成分は、約−２〜約３、又は約−１〜約２．５のＣｌｏｇＰ値を有する香料成分を含み得る。特定の実施形態において、第１群香料成分から選択された香料成分がある場合、これは、香料組成物の重量に対して約２０重量％〜約１００重量％、又は香料組成物の重量に対して約４０重量％〜約１００重量％、又は香料組成物の重量に対して約５０重量％〜約１００重量％の濃度で存在し得る。
【００２８】
第２群成分は、約２０℃〜約２５０℃の沸点、又は約２５℃〜約２４０℃の沸点、又は約３０℃〜約２３５℃の沸点を有する香料成分を含み得る。第２群成分は、約３〜約９、又は約３．５〜約７のＣｌｏｇＰ値を有する香料成分を含み得る。特定の実施形態において、第２群香料成分がある場合、これは、香料組成物の重量に対して約２０重量％〜約１００重量％、又は香料組成物の重量に対して約４０重量％〜約１００重量％、又は香料組成物の重量に対して約５０重量％〜約１００重量％の濃度で存在し得る。
【００２９】
第３群成分は、約２５０℃〜約４００℃、又は約２６０℃〜約３７５℃の沸点を有する香料成分を含み得る。第３群成分は、約−２〜約３、又は約−１〜約２．５のＣｌｏｇＰ値を有する香料成分を含み得る。特定の実施形態において、第３群香料成分がある場合、これは、香料組成物の重量に対して約０．５重量％〜約９０重量％、又は香料組成物の重量に対して約１重量％〜約８０重量％の濃度で存在し得る。
【００３０】
第４群成分は、約２５０℃〜約４００℃、又は約２６０℃〜約３７５℃の沸点を有する香料成分を含み得る。第４群成分は、約３〜約９、又は約３．５〜約７のＣｌｏｇＰ値を有する香料成分を含み得る。特定の実施形態において、第４群香料成分がある場合、これは、香料組成物の重量に対して約０．５重量％〜約９０重量％、又は香料組成物の重量に対して約１重量％〜約８０重量％の濃度で存在し得る。
【００３１】
一実施形態において、この香料は香料成分を含み、ここにおいてこの香料成分は：（ｉ）約２０℃〜約２５０℃の沸点及び約−２〜約３のＣｌｏｇＰ値を有する第１群成分、（ｉｉ）約２０℃〜約２５０℃の沸点及び約３〜約９のＣｌｏｇＰ値を有する第２群成分、（ｉｉｉ）約２５０℃〜約４００℃の沸点及び約−２〜約３のＣｌｏｇＰ値を有する第３群成分、約２５０℃〜約４００℃の沸点及び約３〜約９のＣｌｏｇＰ値を有する第４群成分、又は（ｉｖ）これらの組み合わせから選択される。
【００３２】
香料の放出を制御するもう１つの手段は、香料をカプセル形態内に封入することによるものであり、この非限定的な例には、マイクロカプセル、又はデンプンカプセルが挙げられる。匂いを放出するためのカプセルを設計するには、数多くの手段が存在する。例えば、匂いは、カプセルを裂開させることにより、又はカプセル壁を通して拡散することにより、放出され得る。別の一例において、空気中の水分がカプセル壁を裂開させると、匂いがマイクロカプセルから放出される。あるいは、カプセルの裂開は、接着層を剥がすことによってマイクロカプセルが破断又は裂開され得る。更に、カプセルのサイズ及び材料特性を調節して、拡散を制御することができる。マイクロカプセルのサプライヤーには、Ｉｎｔｅｒｎａｔｉｏｎａｌ  Ｆｌａｖｏｒｓ  ＆  Ｆｒａｇｒａｎｃｅｓ（ＩＦＦ）、Ｒｅｅｄ  Ｐａｃｉｆｉｃ、及びＡｐｐｌｅｔｏｎが挙げられ得る。
【００３３】
一実施形態において、香料は更に、悪臭除去化合物を含み得る。例えば、米国特許出願第１２／９６２６９１号；同第１３／０８１５５９号；同第１２／９０４２６１号；同第１３／００６６４４号；同第１３／２４９６１６号；同第６１／６２２０３０号に対して優先権を主張する、及び／又はこれらによって公開されている、米国特許公開を参照のこと。
【００３４】
香料担体
本発明の一態様は、香料組成物を運ぶための香料担体の使用を提供する。香料及び香料担体は、トレイの空洞部分内に収容され得る。一実施形態において、香料担体は、吸収性パッド又はガーゼ又は紙であり得る。別の実施形態において、香料担体として使用される材料は、ポリマー組成物である。
【００３５】
ポリマー組成物の一例は、エーテル基を含む少なくとも１つのモノマーと、エーテル基を含まない少なくとも１つのモノマーとから得られるコポリマーを含むものである。所望により、相溶性可塑剤を使用することができる。用語「エーテル基を含むモノマー」には、少なくとも１つの酸素原子が２つの異なる炭素原子に結合し、この炭素原子のいずれも別の酸素原子に結合していない、全てのモノマーが含まれ、これには、酸素原子が環状エポキシド構造（例えばエチレンオキシド、ポリエチレンオキシド、テトラメチレンオキシド、及び同様物）に含まれているものが挙げられる。用語「エーテル基を含むモノマー」には更に、分子内にエーテル基を含む分子、オリゴマー、ポリマーが含まれ、これらが更に重合され得る。
【００３６】
これらのコポリマーは、ブロックコポリマー及び非ブロックコポリマーのいずれであってもよく、またポリマー構造にポリエーテル基をグラフト化することにより形成されたコポリマー、側鎖若しくは架橋内にポリエーテル基を含むコポリマー、エーテルモノマーが非エーテルモノマーと共にランダム共重合しているコポリマーも、本発明に好適なコポリマーである。本発明に好適な、エーテル基を含む少なくとも１つのモノマーと、エーテル基を含まない少なくとも１つのモノマーとから得られる好ましいコポリマーには、例えば、ポリエーテルアミドコポリマー、ポリエーテルエステルコポリマー、ポリエーテルウレタン、スルホン化ポリエーテルエステルコポリマー、ポリエーテルエステルアミドコポリマー、ポリエーテルアクリレートと他のアクリルモノマー／オリゴマーとの重合により形成されたコポリマーなどがある。ポリエーテル基が存在する場合、好ましいポリエーテル基は、２個を超える炭素原子を含むモノマーによるもの、より好ましくは３個を超える炭素原子を含むモノマーによるものである。最も好ましいポリエーテル含有基は、ポリプロピレングリコールであり、更に好ましくは、ポリテトラメチレングリコールである。
【００３７】
本発明に好適なコポリマーにおけるエーテル基を含むモノマーは、コポリマーの合計重量に対して少なくとも５重量％、好ましくは少なくとも１０重量％、より好ましくは少なくとも１５重量％存在する。
【００３８】
本発明の好ましいコポリマーは、ポリエーテルアミドブロックコポリマー（例えば、Ｐｅｂａｘ（登録商標）、特にＰｅｂａｘ（登録商標）２５３３  ＳＡ  １）、歩鋭エーテルエステルアミドブロックコポリマー、ポリエーテルポリエステルブロックコポリマー（例えばＨｙｔｒｅｌ（登録商標））、ポリエーテルブロックを含むポリウレタンコポリマー（例えばＥｓｔａｎｅ（登録商標））、又はこれらの混合物である。この種の様々なコポリマーの中で、好ましいものは、上述の好ましいポリエーテル基を有するものである。よって、最も好ましいコポリマーは、ポリエーテル基がポリプロピレングリコール又はポリテトラメチレングリコールであるものである。
【００３９】
好ましくは本発明のポリマー組成物は、エーテル基を含む少なくとも１つのモノマーとエーテル基を含まない少なくとも１つのモノマーとから得られたコポリマーを、ポリマー組成物の重量に対して５重量％〜７５重量％、より好ましくは１０重量％〜５０重量％含み；好適な可塑剤又は可塑剤混合物を、ポリマー組成物の重量に対して５重量％〜６０重量％、好ましくは１０重量％〜４０重量％含み、また、揮発性材料を、１０％超、好ましくは３０％超含む。香料は好ましくは、ポリマー組成物の重量に対して、最大９０重量％含まれる。
【００４０】
本発明のポリマー組成物は、好ましくは熱可塑性ポリマー組成物である。これらは、熱可塑性ポリマー組成物を製造するいずれの既知の方法を用いても製造でき、典型的には、ポリマーを融解させ、次いで、可塑剤及び香料をブレンドして、均一な塊を形成し、それを冷却して、本発明によるポリマー組成物を得る工程を含む。熱可塑性組成物の中で好ましいのは、低い溶融温度及び粘度を有するもの、したがってホットメルトとして処理できるものである。これらのシステムにおいて、ブレンド時の揮発性香料成分の損失が最小限に抑えられる。
【００４１】
任意の成分として、それらの特性を改善する、基材との接着性又は相溶性を向上させるために配合に含むことができる、他のコポリマーが挙げられる。この目的のため、好ましい任意のコポリマーは、極性基及び非極性基の両方を特徴とするものであり、例えば、エチレンと、少なくとも１つの他のビニル又はアクリルモノマーとのコポリマー、スチレンと、少なくとも１つの他のビニル又はアクリルモノマーとのコポリマー、ポリ（ビニルアルコール）のコポリマー、ポリアミド、ポリ（ビニルピロリドン）のコポリマー、ポリアクリレート、ポリ（ビニルエーテル）のコポリマー、イオノマー、ポリエステルアミドコポリマーである。他のポリマー又はコポリマー、充填剤、架橋剤、色素、染料、酸化防止剤、及びその他の安定剤などの、更なる任意成分を添加して、組成物に望ましい特性を提供することができる。
【００４２】
一実施形態において、香料担体は、可塑剤を含み得る。本明細書で使用するための好適な可塑剤としては、クエン酸エステル、低分子量ポリエステル、ポリエーテル、液体ロジンエステル、芳香族スルホンアミド、フタレート、ベンゾエート、スクロースエステル、多官能性アルコールの誘導体（ここで多官能性とは２つ以上のヒドロキシル基を有することを意味する）、アジパート、タータラート、セバケート、リン酸のエステル、脂肪酸及び二酸、脂肪族アルコール及びジオール、エポキシ化植物油等、並びにそれらの混合物が挙げられる。理論に束縛されるものではないが、異なる相溶性可塑剤の異なる極性（当業者にとって公知のあらゆる方法で測定可能のもの、例えば水／オクタノール分配係数）は、香料の極性とのより良い適合を提供するために、ポリマーマトリックスの極性を調整するために使用できる。
【００４３】
香料トレイ
本発明の一態様は、香料詰め替え品から供給され、ここにおいてこの詰め替え品はトレイを含み、このトレイは空洞を含み、この空洞は香料（及び所望により香料担体）を含む。トレイは更に、把持タブ（ユーザーが指でつかむことができる）を有し得、これにより香料ディスペンサー装置への詰め替え品の挿入と取り出しを容易にし得る。本発明の一態様において、このトレイは、香料／香料担体を保持するのに好適な少なくとも１つの空洞を有する。一実施形態において、２つ、３つ、又はそれ以上の空洞が、複数の香料を保持するために提供される。一実施形態において、空洞は、約０．５ｃｍ3〜約２ｃｍ3、あるいは約０．７ｃｍ3〜約１ｃｍ3、あるいは約０．４ｃｍ3〜約３ｃｍ3、あるいは約０．１ｃｍ3〜約３ｃｍ3、あるいはこれらの組み合わせの容積を含む。
【００４４】
一実施形態において、詰め替え品の空洞に含まれる香料／香料担体の容積は、約０．３ｃｍ3〜約０．９ｃｍ3、あるいは約０．４ｃｍ3〜約０．８ｃｍ3、あるいは約０．５ｃｍ3〜約０．７ｃｍ3、あるいはこれらの組み合わせである。別の一実施形態において、詰め替え品の空洞に含まれる香料／香料担体の重量は、約０．３ｇ〜約０．９ｇ、あるいは約０．４ｇ〜約０．８ｇ、あるいは約０．５ｇ〜約０．７ｇ、あるいはこれらの組み合わせである。
【００４５】
いくつかの実施形態において、空洞に含まれる香料／香料担体の露出面積は、望ましい時間長さにわたって望ましい量の匂いを送達するために、重要である。一実施形態において、詰め替え品の空洞に含まれる香料／香料担体の露出面積は、約１００ｍｍ2〜約３３０ｍｍ2、あるいは約１３０ｍｍ2〜約３００ｍｍ2、あるいは約１５０ｍｍ2〜約２５０ｍｍ2、あるいは約１７５ｍｍ2〜約２２５ｍｍ2、あるいは約２００ｍｍ2〜約２６０ｍｍ2、あるいは約２１０ｍｍ2〜約２４０ｍｍ2、あるいは約１８０ｍｍ2〜約２２０ｍｍ2、あるいは約２３２ｍｍ2、あるいは約１９６ｍｍ2、あるいはこれらの組み合わせである。
【００４６】
このトレイは、任意の成形可能プラスチック、紙、金属、フィルム、又はその他の材料、積層体、又はこれらの組み合わせで、その構造的一体性を維持することができ、香料担体及び／又は香料材料に接触したときに望ましくない反応を起こさないものから形成することができる。一実施形態において、トレイは、熱可塑性又は熱硬化性プラスチックから形成することができる。熱可塑性トレイは、例えば、従来のプラスチックの発明（invention）成形又は熱成形プロセスによって製造することができる。
【００４７】
一実施形態において、香料トレイは、香料又は揮発性組成物に対して概ね透過性でない材料で、形成（好ましくは熱成形）され得る。別の一実施形態において、トレイは、香料又は揮発性組成物に対して概ね透過性でない材料の保護層によって覆われる。この例には金属製ホイル（例えばアルミホイル）が挙げられ得る。
【００４８】
一実施形態において、香料トレイは熱成形される。別の一実施形態において、香料トレイは、空洞（好ましくは中央に配置される）と、周りの周縁フランジとを有する。香料担体をトレイの空洞内に最初に配置し、次に透過性カバーを香料トレイ（又はトレイ空洞部分の少なくとも開口部）の上に配置することができ、これによって、空洞内に香料担体を封入し、香料担体を封入した香料トレイを形成することができる。別の一実施形態において、香料トレイは、カバー、又は、香料トレイの空洞部分の少なくとも開口部の上に取り外し可能に取り付けられた非透過性カバー、又は、透過性カバーの上に取り外し可能に取り付けられた非透過性カバーを有さない。
【００４９】
透過性カバーとして好適な透過性材料の例には、高密度、中密度、及び低密度のポリエチレン、超低密度ポリエチレン、及びエチレンビニルアセテートコポリマーが挙げられ得る。他の例としては、ミクロ孔質ポリテトラフルオロエチレン（「ＰＴＦＥ」）及び、当該技術分野において既知の他のミクロ孔質膜が挙げられる。特定のポリマー材料の透過度は、透過性カバーの形成前に、ポリマー材料に炭酸カルシウムなどの不純物を添加することによって、増加させることができる。この添加により、ポリマー鎖の間に追加の空間をもたらし、材料の透過性を上昇させることになる。更なる透過性は、色素の固体微粒子を導入することにより、層の着色の副産物としても得られる。この添加によっても、ポリマー鎖の間に空間をもたらす傾向が生じることになる。例えば、米国特許第５，８０４，２６４号を参照のこと。透過性層は、熱封止によりトレイに取り付けることができ、あるいは、トレイの周りの周縁フランジに熱封止することができる。
【００５０】
一実施形態において、透過性カバーに対し、又は透過性カバーがない場合はトレイに直接、取り外し可能に取り付けられた、追加の放出層がある。この放出層は、ユーザーが容易に、透過性膜／トレイから剥がすことができる。この放出層は、室温で香料に対し概ね非透過性の材料である。これは、透過性カバーに、接着剤又は弱い熱接着によって、取り外し可能に取り付けることができる。除去を容易にするために、プルタブを有してもよい。
【００５１】
一実施形態において、詰め替え品は、次の熱形成材料の層ＡＰＥＴ−ＬＤＰＥ−ＥＶＯＨ−ＬＤＰＥからなる。香料非透過性層は好ましくは、ＬＤＰＥとＥＶＯＨとの間にある。Ｚｏｂｅｌｅ  Ｇｒｏｕｐがこの製造者であり得る。
【００５２】
ブリスターパック
本明細書に使用される用語「ブリスターパック」は、香料詰め替え品の個別量又は単位が「ブリスター」内に収容されており、ブリスターに力を印加することによって、ブリスターパックから香料詰め替え品を排出又は吐出することができるパッケージを指すものとして理解される。本発明は、一般に利用可能なブリスターパッケージング技術で利用でき、かつ、本発明の構成に組み込むよう特別に設計されたブリスターパックで使用することに加え、既知のブリスターパック構成で使用するよう適合させることができる。理論に束縛されるものではないが、ブリスターパックは、香料が時期尚早に揮発するのを防ぐ便利な方法であり、しかも、香料詰め替え品を処置するための便利な方法である。一実施形態において、香料及び香料担体のみ（トレイは含まれない）が、ブリスターパックのブリスター内に収容される。あるいは、香料（及び所望により香料担体、可塑剤など）を含むトレイが、ブリスターパックのブリスター内に収容される。
【００５３】
一実施形態において、ブリスターパックは、少なくとも１つのポケット又はそれに伴うブリスターを含む変形可能なシェルを含む。香料詰め替え品のユニットが、少なくとも１つのブリスター内に収容され得る。裂開可能な材料が、ブリスターの開口部の上に接合され得る。この裂開可能な材料は、ブリスターの香料詰め替え品ユニットの吐出により裂開するよう構成することができる。香料詰め替え品のユニットは、ブリスターの上部分に力を印加することにより、ブリスターから吐出させることができる。ブリスターに力を印加する際、ブリスターが内向きに潰れ、香料詰め替え品のユニットが裂開可能材料に押し付けられる。その結果、裂開可能材料が裂開し、香料詰め替え品のユニットがブリスターから自由に取り出せるようになる。
【００５４】
ブリスターパック容器は、当業者に周知の様々な方法で形成することができ、かつ、様々な好適な材料で形成することができる。一般に、ブリスターパックは、一連の凹部又はポケット（例えば個々の「ブリスター」）を含んで形成されるシェル材料を含み得、これらがそれぞれ、１つ以上の香料詰め替え品ユニットを受容するよう構成される。シェル材料は、例えばポリ塩化ビニル積層体などのプラスチック材料から形成することができるが、これは必須ではない。概ね薄い金属ホイル、又はその他の裂開可能材料を、凹み又は凹部（例えば「ブリスター」）の開口部にわたって、その周囲のシェル材料に取り付け又は接着することができる。必ずしも必須ではないが、一連のミシン穴をブリスターパック容器に形成することができ、これによって、各ブリスターを別個のユニットに別々に分離することができる。裂開可能な材料の実質的に連続的なシートを、ブリスターパックの下表面全体に付着させ、各ブリスターを、他のブリスターから分離することができ、このとき、特定のブリスターを覆う裂開可能材料部分が、無傷で損われないままである。例えば米国特許第７，８０２，６８２  Ｂ２号を参照のこと。
【００５５】
ブリスターパックを固定するパッケージ
本発明の一態様は、本明細書に記述される１つ以上のブリスターパック（香料詰め替え品を収容する）を受容し収容するための二次的パッケージを含む。そのようなパッケージは、販売される製品のためのブランディング及びその他の必要な情報を有し得る。また、輸送及び取扱い時にブリスターパックが時期尚早に裂開するのをある程度保護することができる。また、複数のブリスターパックを梱包する便利な方法として提供され得る（「会員制量販店」サイズ、又は様々な匂いの「バラエティ」パックを含む）。
【００５６】
一実施形態において、このパッケージは、内部チャンバ内にブリスターパックを受容し収容するよう適合された内部チャンバを含み得る。このパッケージは、親指／手指の凹みを有し得、これによってユーザーが、パッケージ内に収容されているブリスターパックを、より容易につかむことができる。パッケージとブリスターパックの間に保持システムがあってもよく、これが、二次的パッケージ内でのブリスターパックの保持に役立つ。例えば、ブリスターパックが二次的パッケージのチャンバ内に収容されているとき、係合するように採用された、ブリスターパック上のボタンと、ブリスターパック上の開口部とがあり（又は逆も同様）、これらがブリスターパックと二次的パッケージとの間のずれを防ぐのに貢献する。
【００５７】
二次的パッケージは、ボール紙、プラスチック、又はこれらの組み合わせで製造され得る。
【００５８】
個人用エアフレッシュナーディスペンサー
本発明の一態様は、詰め替え品を受容し、かつその香料詰め替え品の空洞内に収容された香料から匂いを分与するよう構成されたディスペンサーを提供し、ここにおいてこの詰め替え品は、ディスペンサー内で操作可能に受容されるよう構成される。ディスペンサーは、香料詰め替え品を操作可能に受容するよう構成され、あるいは、複数の詰め替え品を受容するよう構成され、あるいは単一の詰め替え品を受容するよう構成され、ここにおいてこの詰め替え品は、少なくとも２つの空洞を有し（has a two least two cavities）、この第１空洞は第１香料を含み、第２空洞は第２香料を含む。第１香料と第２香料は異なる匂いを提供する。
【００５９】
ディスペンサーは、香料詰め替え品内に収容される香料に熱を印加することができる加熱エレメントを含み得る。加熱エレメントは、詰め替え品がディスペンサー内に機能的に収容されているときに、詰め替え品との熱的連通があるように構成される。あるいは、ディスペンサーは、圧電変換器を含むスプレーシステムを含み得る。ディスペンサーは、受動モード及び／又は能動モード（すなわち、香料を加熱又はスプレーする）で操作可能である。
【００６０】
ディスペンサーは、加熱エレメント及び／又は圧電変換器を制御するための、電源及び制御回路を含み得る。
【００６１】
ディスペンサーは、基地ステーションに接続することができるコネクターを含み得、ここにおいて基地ステーションには、コンピュータ、スマートホン、携帯情報端末、及び同様物が挙げられ得る。例えば、コネクターはＵＳＢキー、又は、例えばコンピュータの電源を利用することができるその他の周辺機器である。
【００６２】
光又はその他の指示器は、ユーザーが、ディスペンサーを電源に適切に接続することを可能にする方法であり得る。
【００６３】
ディスペンサーは、電源又は制御設定を有し得る。タイマー（例えば、営業時間中のみ装置をオンにするなど）、匂い強度制御（例えば、通気孔若しくは電源、又は受動／能動モードのタイミングの制御）があってもよい。
【００６４】
ディスペンサーの非限定的な例には、米国特許公開第２０１０／０１７６２１３  Ａ１号、同第２０１０／００１９０５７  Ａ１号が挙げられ得る。
【００６５】
一実施形態において、個人用エアフレッシュナーディスペンサーが提供される。このディスペンサーは、空洞（香料詰め替え品を受容するよう構成されている）を有するハウジング、この空洞内に配置される電気回路（この電気回路は、ヒーターと、ヒーターに通電できる電源インタフェースとを含む）、香料詰め替え品トレイ（このトレイの少なくとも一部分がハウジングの空洞内に配置され、かつ、ディスペンサーが香料トレイから香料を吐出するよう構成されている）を含み得る。別の一実施形態において、電源インタフェースはＵＳＢインタフェースであり、これが電源に接続されて、ヒーターを通電させる（能動モード）。別の一実施形態において、ハウジングは下側ハウジング及び上側ハウジングを含み、ここにおいて上側ハウジングは下側ハウジングに固定されて、その間に空洞を画定する。
【００６６】
所望により、ディスペンサーはコンピューターメモリを含み得、また、メモリに予めロードされたコンピューター読み取り可能なファイルを含み得る。
【００６７】
一実施形態において、詰め替え品は最長１週間、好ましくは２週間、好ましくは３０日間、あるいは３０日超の寿命、あるいは、約１週間〜約７０日未満の寿命を提供する。別の一実施形態において、この詰め替え品は３０時間〜約４０時間、あるいは約３５時間〜約４５時間、あるいは約４０時間あるいは最長約４０時間、あるいはこれらの組み合わせで、提供される。理論に束縛されるものではないが、未公開の消費者社内調査により、消費者は、１週間に１回を超えた頻度では詰め替え品を交換したくない傾向があり、多くの消費者は週に約４０時間働く。更に別の一実施形態において、この物品は、（ユーザーが最初にオンにしてから）８時間後に、この物品を自動的にオフにするタイマーを含む。あるいは、タイマーが、特定の所定時間にオン又はオフを切り替える（例えば午前９時にオン、午後５時にオフ）。これらの時間は、ユーザーが制御するか、及び／又は工場で予め設定される。
【００６８】
一実施形態において、ディスペンサーは、詰め替え品内に収容されている香料／香料担体と、ディスペンサーの外の外部空間との間の流体連通を提供するような、通気孔又はその他の開口部を含む。理論に束縛されるものではないが、いくつかの実施形態において、詰め替え品がディスペンサーに操作可能に取り付けられているときの、ディスペンサーの通気孔及びその他のそのような開口部（集合的に「通気孔」）の平面表面積と、詰め替え品の空洞内に収容されている香料／香料担体の平面表面積との間の関係が、重要であり得る。用語「通気孔」には、ディスペンサーの詰め替え品受容チャネルの相対的面積も含まれる。非限定的な例において、一般に、詰め替え品がディスペンサーに操作可能に取り付けられているとき、１ｍｍ〜３ｍｍの垂直方向隙間がある（例えばデスクトップコンピュータのＵＳＢポートに操作可能に取り付けられたとき、この物品に対して）。これらの通気孔の平面表面積は、それぞれの通気孔に対して測定され得る最小の平面表面積である。物品の全通気孔の平面表面積を使用して、合計平面表面積を計算する。一般に、物品の集合的通気孔の合計平面表面積が大きいほど、香料の拡散速度及び度合が大きくなる（詰め替え品から香料が拡散する際の物理的制限が少なくなるため）。この逆もまた、概ね真である。一実施形態において、通気孔の合計表面積は、約５０ｍｍ2〜約２１０ｍｍ2、あるいは約７０ｍｍ2〜約１９０ｍｍ2、あるいは約９０ｍｍ2〜約１７０ｍｍ2、あるいは約１１０ｍｍ2〜約１５０ｍｍ2，あるいは１２０ｍｍ2〜約１４０ｍｍ2、あるいは約１００ｍｍ2〜約１５０ｍｍ2、あるいは約１３０ｍｍ2、あるいはこれらの組み合わせである。開示される表面積に基づき、ディスペンサー内に詰め替え品が操作可能に受容されているときの、通気孔の合計平面表面積と、詰め替え品の空洞内に収容されている香料／香料担体の露出面積との間の比の範囲も、本発明の範囲内で想到される。
【００６９】
匂い慣れの軽減
多くのエアフレッシュ装置の問題は、ユーザーが一定時間にわたって匂いに連続的に曝露されていると、その匂いに対して鈍感になり得ることである。消費者は、その匂いに気づかなくなる。この問題を軽減する方法のひとつは、匂いを切り替えることである。これにより、消費者が第１の匂いに鈍感になったときに、第２の匂いを導入し、第１の匂いをオフにする。しばらく経った後、第２の匂いをオフにし、第１の匂いを再びオンにする。このプロセスが繰り返される。第３又は第４、又はそれ以上の異なる匂いを使用することもできる。２つ以上の匂いの間での匂い放散は、重複してもよく、又は重複しなくてもよい。一実施形態において、本発明の詰め替え品は、２つ以上の空洞を含み、この各空洞が異なる香料組成物を含む。装置が、この空洞の間の加熱を切り替えて、匂い放散を制御する。例えば、米国特許第７，２２３，３６１号、同第８，０１６，２０７号、同第７，９８１，３６７号、同第８，０６１，６２８号、同第８，１１９，０６４号を参照のこと。
【００７０】
本発明の別の一態様は、単一の匂い又は香料のパルス放出を提供する。パルス放出は、一実施形態において、詰め替え品の空洞内の香料を加熱するヒーター／加熱エレメントのオンとオフを切り替えることによって、達成することができる。一実施形態において、ヒーターは、約２分間〜約１２分間、あるいは約４分間〜約１１分間、あるいは約５分間〜約１０分間、あるいは約６分間〜９分間、あるいは７分間〜１０分間、あるいは５分間〜９分間、あるいはこれらの組み合わせでオンにされる。別の一実施形態において、ヒーターは、約４分間〜約１２分間、あるいは約５分間〜約１０分間、あるいは約５分間〜約１２分間、あるいは約６分間〜９分間、あるいは７分間〜１０分間、あるいは５分間〜９分間、あるいはこれらの組み合わせでオフにされる。更に別の一実施形態において、ヒーターオン：ヒーターオフの時間の比は、それぞれ、約１：１〜約１：２０、あるいは約１：１〜約１：１０、あるいは約１：１〜約１：５、あるいはこれらの組み合わせである。
【００７１】
いくつかの実施形態において、温度は、上述の問題を解決するのに重要な要素である。加熱エレメントがオンのとき、加熱エレメントで測定される温度は、約６０℃〜約７０℃、あるいは約６２℃〜約６８℃、あるいは約６４℃〜約６６℃、あるいは約６５℃、あるいはこれらの組み合わせである。理論に束縛されるものではないが、上述の範囲内の温度は、ユーザーが気づく程度の香料の揮発に必要であるが、本発明が一般に送達するよう設計される望ましい「パーソナルスペース」を超えないような程度の熱量を、提供する。
【実施例】
【００７２】
（実施例１）
図１は、香料詰め替え品（２）の一実施例である。香料詰め替え品（２）は、香料／香料担体を収容するのに好適な空洞（４）を有する。
【００７３】
図２及び３は、香料放散装置（９）の一実施例である。香料詰め替え品（２）は、装置（９）内に機能的に受容され、把持可能タブ（６）のみが露出している。複数の通気孔（１２）により、中に収容されている詰め替え品（２）からの香料が、装置（９）の内部から拡散することができる。図２は、装置（９）に機能的に取り付けられたＵＳＢインタフェース（１３）を有し、ここにおいて図３は、カバーを取り除いて、ＵＳＢインタフェース（１５）が露出している。
【００７４】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００７５】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００７６】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015525093.tif 000004
【図２】
2015525093.tif 000005
【図３】
2015525093.tif 000006
【国際調査報告】
2015525093.tif 000007
2015525093.tif 000008
2015525093.tif 000009
2015525093.tif 000010